(57)【要約】【課題】安全で、封水と混合しやすく寒冷地でも使用可能な水の蒸気圧低下剤の提供を目的とする。【解決手段】尿素と、界面活性剤と、精製グリセロールと、水又はアルカリ還元水とを有し、精製グリセロールは、エタノールと油脂と水と炭化物を有する廃グリセロールを蒸留精製したものである。水の蒸気圧低下剤による排水トラップの破封防止方法において、排水トラップＴの封水部における封水維持下限値以上の液面になるように蒸気圧低下剤を投入する。【選択図】図１
2014062395.tif 000002
【特許請求の範囲】
【請求項１】
尿素と、界面活性剤と、精製グリセロールと、水又はアルカリ還元水とを有し、
前記精製グリセロールは、エタノールと油脂と水と炭化物を有する廃グリセロールを蒸留精製したものである水の蒸気圧低下剤。
【請求項２】
前記尿素を５〜２０重量％、前記界面活性剤を０．１〜５重量％、前記精製グリセロールを１０〜８０重量％、残りを主として水又はアルカリ還元水とした請求項１記載の水の蒸気圧低下剤。
【請求項３】
前記水又はアルカリ還元水を２０〜８０重量％有する請求項１又は２に記載の水の蒸気圧低下剤。
【請求項４】
全体のｐＨを９．０〜１０．０とする請求項１〜３のいずれか１項に記載の水の蒸気圧低下剤。
【請求項５】
前記精製グリセロールは、植物由来の食用廃油をエステル化して精製したものである請求項１〜４のいずれか１項に記載の水の蒸気圧低下剤。
【請求項６】
請求項１〜５のいずれか１項に記載の水の蒸気圧低下剤による排水トラップの破封防止方法であって、
前記排水トラップの封水部における封水維持下限値以上の液面になるように前記蒸気圧低下剤を投入する排水トラップの破封防止方法。
【請求項７】
前記蒸気圧低下剤における気化成分が気化しても前記精製グリセロールが前記排水トラップの封水部における前記封水維持下限値以上残存する量を確保するように、前記蒸気圧低下剤中の前記精製グリセロールの混合割合を設定して、前記排水トラップの封水部に前記蒸気圧低下剤を投入する請求項６に記載の排水トラップの破封防止方法。
【請求項８】
尿素と、界面活性剤と、精製グリセロールと、水又はアルカリ還元水とを有し、
前記精製グリセロールは、エタノールと油脂と水と炭化物を有する廃グリセロールを蒸留精製したものである水の凍結防止剤。
【請求項９】
前記尿素を５〜２０重量％、前記界面活性剤を０．１〜５重量％、前記精製グリセロールを１０〜８０重量％、残りを主として水又はアルカリ還元水とした請求項８記載の水の凍結防止剤。
【請求項１０】
前記水又はアルカリ還元水を２０〜８０重量％有する請求項８又は９に記載の水の凍結防止剤。
【請求項１１】
全体のｐＨを９．０〜１０．０とする請求項８〜１０のいずれか１項に記載の水の凍結防止剤。
【請求項１２】
前記精製グリセロールは、植物由来の食用廃油をエステル化して精製したものである請求項８〜１１のいずれか１項に記載の水の凍結防止剤。
【請求項１３】
請求項８〜１２のいずれか１項に記載の水の凍結防止剤による排水トラップの破封防止方法であって、
前記排水トラップの封水部における封水維持下限値以上の液面になるように前記凍結防止剤を投入する排水トラップの破封防止方法。
【請求項１４】
前記凍結防止剤における気化成分が気化しても前記精製グリセロールが前記排水トラップの封水部における前記封水維持下限値以上残存する量を確保するように、前記凍結防止剤中の前記精製グリセロールの混合割合を設定して、前記排水トラップの封水部に前記凍結防止剤を投入する請求項１３に記載の排水トラップの破封防止方法。
【請求項１５】
尿素と、界面活性剤と、精製グリセロールと、水又はアルカリ還元水とを有し、
前記精製グリセロールは、エタノールと油脂と水と炭化物を有する廃グリセロールを蒸留精製したものである植物の凍結防止剤。
【発明の詳細な説明】
【技術分野】
【０００１】
本発明は、水の蒸気圧低下剤、水の蒸気圧低下剤による排水トラップの破封防止方法、水の凍結防止剤、水の凍結防止剤による排水トラップの破封防止方法及び植物の凍結防止剤に関する。
【背景技術】
【０００２】
従来、洗面台、流し台等の排水管は、下水側から悪臭が室内に入ったり、害虫等の生物が室内に入るのを防止するために、水を溜めるための排水トラップが設けられている。しかし、家を不在にしたり、マンションの借り手がいない等の理由により、長期間洗面台、流し台等を使用しない場合、封水が蒸発して（渇水して）下水側から悪臭が室内に入ったり、害虫等の生物が室内に入る虞がある。そこで、封水の蒸発を防ぐために、封水に油を投入して水面を被覆していた（例えば、非特許文献１参照）。
【０００３】
しかし、上記油は水より比重が軽く、投入した際に、封水の中を排水口側から下水側へ移動しづらいという欠点があった。さらに、寒冷地では排水トラップ内の水が凍ってしまう問題もあり、従来、エチレングリコールが寒冷地用として使用される場合もあった。
【先行技術文献】
【非特許文献】
【０００４】
【非特許文献１】「トラップキーパー・ＥＣ−１０１」ホームページアドレス  http://www.lifestyle-service.net/torapkeep/torapkeep.htm
【発明の概要】
【発明が解決しようとする課題】
【０００５】
上記油を投入した際に、封水の中を排水口側から下水側へ移動しづらい。また、上記エチレングリコールは致死量が設定されている毒劇物であって、自然界に流出すると危険性が高い。また、セントラルヒーティング用冷媒（水）として、寒冷地では水が凍結するという問題があった。
そこで、本発明は、安全で、封水と混合しやすく寒冷地でも使用可能な水の蒸気圧低下剤の提供を目的とする。
【課題を解決するための手段】
【０００６】
本発明の水の蒸気圧低下剤の第１の特徴構成は、尿素と、界面活性剤と、精製グリセロールと、水又はアルカリ還元水とを有し、前記精製グリセロールは、エタノールと油脂と水と炭化物を有する廃グリセロールを蒸留精製したものである。
【０００７】
本発明の第１の特徴構成によれば、尿素も精製グリセロールも水によく溶けて、夫々水の凝固点を下げると共に、沸点も上昇させる事ができる。しかもそれらの相乗効果により水の沸点をより上昇させて、蒸気圧を低下させることができる。
また、界面活性剤は、表面張力を低下させ、例えば排水部において排水管内周壁に付着している汚れやゴミによる毛細管現象が発生しにくくなり、そのために、排水トラップにおける封水の吸い上げが抑制され、封水の蒸発量を抑えることができる。
また、蒸気圧を低下させるのに、主に尿素と精製グリセロールに対して水が存在しない場合には、尿素は常温では固体の結晶で、しかも、精製グリセロールは高粘度のために、封水に投入するのが困難で、たとえ投入してもその封水に簡単には混ざりにくく、そのために封水の蒸気圧を低下させにくい。これに対し、水又はアルカリ還元水を有することにより、簡単に封水に混ざりやすくなり、封水の蒸気圧の低下を迅速に行える。
その上、精製グリセロールは、エタノールと油脂と水と炭化物を有する廃グリセロールを蒸留精製したものであるために、一般的に特別産業廃棄物として処理に困っている廃グリセロールを安価に利用でき、廃棄物の削減及び有効利用に貢献できる。
尿素と、界面活性剤と、精製グリセロールと、水又はアルカリ還元水とを有することにより、蒸気圧低下の効果以外に、凝固点降下も発揮して封水の凍結防止の効果も期待できる。
【０００８】
本発明の第２の特徴構成は、前記尿素を５〜２０重量％、前記界面活性剤を０．１〜５重量％、前記精製グリセロールを１０〜８０重量％、残りを主として水又はアルカリ還元水としたところにある。
【０００９】
本発明の第２の特徴構成によれば、尿素は５重量％より少ない場合には、蒸気圧を十分に低下させにくく、２０重量％より多ければ、精製グリセロールと尿素による蒸気圧低下の相乗効果が期待できにくくなる。
界面活性剤は、０．１重量％より少なかったり、５重量％より多かった場合には、その界面活性剤としての効果が発揮できにくくなる。
精製グリセロールは、下限値未満では蒸気圧が十分低下せず、上限値より多くなると粘度が高くなって投入が困難になり、残りの水又はアルカリ還元水の割合が減少して、取扱が困難になる。
従って、上記の前記尿素を５〜２０重量％、前記界面活性剤を０．１〜５重量％、前記精製グリセロールを１０〜８０重量％、残りを主として水又はアルカリ還元水にすることにより、蒸気圧低下の作用を効果的に発揮できる。
【００１０】
本発明の第３の特徴構成は、前記水又はアルカリ還元水を２０〜８０重量％有するところにある。
【００１１】
本発明の第３の特徴構成によれば、水又はアルカリ還元水を、２０重量％未満では、蒸気圧低下剤の粘度が高くなり封水への投入が困難になり、８０重量％より多くなると尿素と精製グリセロールの割合が少なくなって蒸気圧低下効果が低下する。
【００１２】
本発明の第４の特徴構成は、全体のｐＨを９．０〜１０．０とするところにある。
【００１３】
本発明の第４の特徴構成によれば、全体のｐＨが９．０未満では、投入する封水における排水中に微生物が増殖しやすく、１０．０より多くなると配管内の微生物膜が死滅して剥離脱落し、その剥離した微生物膜が水面上に浮上して美観を損ねたり、また、下流側の浄化槽の処理が悪くなる虞がある。
従って、ｐＨを９．０〜１０．０にすることにより封水中の水の状態を良好に維持できる。
【００１４】
本発明の第５の特徴構成は、前記精製グリセロールは、植物由来の食用廃油をエステル化して精製したものである。
【００１５】
本発明の第５の特徴構成によれば、植物由来の食用廃油は、ヨウ素価が１２０以上で、凝固点が低くて沸点も高く、精製したグリセロールによる蒸気圧低下作用も効果的である。
【００１６】
本発明の第６の特徴構成は、第１〜第５の発明の水の蒸気圧低下剤による排水トラップの破封防止方法であって、前記排水トラップの封水部における封水維持下限値以上の液面になるように前記蒸気圧低下剤を投入するところにある。
【００１７】
本発明の第６の特徴構成によれば、本発明の蒸気圧低下剤を、前記排水トラップの封水部における封水維持下限値以上の液面になるように投入することにより、長期間家を不在にしても、水の蒸発を抑えて封水の下限値以上の液面を維持し、下水側からの悪臭が室内に侵入するのを防止できる。
【００１８】
本発明の第７の特徴構成は、前記蒸気圧低下剤における気化成分が気化しても前記精製グリセロールが前記排水トラップの封水部における前記封水維持下限値以上残存する量を確保するように、前記蒸気圧低下剤中の前記精製グリセロールの混合割合を設定して、前記排水トラップの封水部に前記蒸気圧低下剤を投入するところにある。
【００１９】
本発明の第７の特徴構成によれば、本発明の蒸気圧低下剤を封水に投入した後、封水中の水などの気化成分が蒸発しても、精製グリセロールは封水部における封水維持下限値以上残存する量を確保されているために、下水側からの悪臭の室内側への侵入は防止でき、室内環境を良好に維持できる。
【００２０】
本発明の第８の特徴構成における水の凍結防止剤は、尿素と、界面活性剤と、精製グリセロールと、水又はアルカリ還元水とを有し、前記精製グリセロールは、エタノールと油脂と水と炭化物を有する廃グリセロールを蒸留精製したものである。
【００２１】
本発明の第８の特徴構成によれば、尿素も精製グリセロールも水によく溶けて、夫々水の凝固点を下げると共に、沸点も上昇させる事ができる。しかもそれらの相乗効果により水の沸点をより上昇させて、蒸気圧を低下させることができる。
また、界面活性剤は、表面張力を低下させ、例えば排水部において排水管内周壁に付着している汚れやゴミによる毛細管現象が発生しにくくなり、そのために、排水トラップにおける封水の吸い上げが抑制され、封水の蒸発量を抑えることができる。
また、蒸気圧を低下させるのに、主に尿素と精製グリセロールに対して水が存在しない場合には、尿素は常温では固体の結晶で、精製グリセロールは高粘度のために、封水に投入するのが困難で、たとえ投入してもその封水に簡単には混ざりにくく、そのために封水の蒸気圧を低下させにくい。これに対し、水又はアルカリ還元水を有することにより、簡単に封水に混ざりやすくなり、封水の蒸気圧の低下を迅速に行える。
その上、精製グリセロールは、エタノールと油脂と水と炭化物を有する廃グリセロールを蒸留精製したものであるために、一般的に特別産業廃棄物として処理に困っている廃グリセロールを安価に利用でき、廃棄物の削減及び有効利用に貢献できる。
従って、尿素と、界面活性剤と、精製グリセロールと、水又はアルカリ還元水とを有することにより、蒸気圧を低下させて排水トラップにおける封水機能を長期に維持しながら、蒸気圧低下の効果以外に、凝固点降下も発揮して封水の凍結防止の効果も期待でき、気温の変動にかかわらず排水トラップの破損も防止できる。
【００２２】
本発明の第９の特徴構成は、前記尿素を５〜２０重量％、前記界面活性剤を０．１〜５重量％、前記精製グリセロールを１０〜８０重量％、残りを主として水又はアルカリ還元水としたところにある。
【００２３】
本発明の第９の特徴構成によれば、尿素は５重量％より少ない場合には、蒸気圧を十分に低下させにくく、２０重量％より多ければ、精製グリセロールと尿素による蒸気圧低下の相乗効果が期待できにくくなる。
界面活性剤は、０．１重量％より少なかったり、５重量％より多かった場合には、その界面活性剤としての効果が発揮できにくくなる。
精製グリセロールは、下限値未満では蒸気圧が十分低下せず、上限値より多くなると粘度が高くなって投入が困難になり、残りの水又はアルカリ還元水の割合が減少して、取扱が困難になる。
従って、上記の前記尿素を５〜２０重量％、前記界面活性剤を０．１〜５重量％、前記精製グリセロールを１０〜８０重量％、残りを主として水又はアルカリ還元水にすることにより、蒸気圧低下作用を発揮して封水機能を維持しながら排水トラップにおける凍結による破損を防止できる。
【００２４】
本発明の第１０の特徴構成は、前記水又はアルカリ還元水を２０〜８０％有するところにある。
【００２５】
本発明の第１０の特徴構成によれば、水又はアルカリ還元水を、２０重量％未満では、蒸気圧低下剤の粘度が高くなり封水への投入が困難になり、８０重量％より多くなると尿素と精製グリセロールの割合が少なくなって、蒸気圧低下のみならず凝固点降下作用も低下する。
【００２６】
本発明の第１１の特徴構成は、全体のｐＨを９．０〜１０．０とするところにある。
【００２７】
本発明の第１１の特徴構成によれば、全体のｐＨが９．０未満では、投入する封水における排水中に微生物が増殖しやすく、１０．０より多くなると配管内の微生物膜が死滅して剥離脱落し、その剥離した微生物膜が水面上に浮上して美観を損ねたり、また、下流側の浄化槽の処理が悪くなる虞がある。
従って、ｐＨを９．０〜１０．０にすることにより封水中の水の状態を良好に維持できる。
【００２８】
本発明の第１２の特徴構成は、前記精製グリセロールは、植物由来の食用廃油をエステル化して精製したものである。
【００２９】
本発明の第１２の特徴構成によれば、植物由来の食用廃油は、ヨウ素価が１２０以上で、凝固点が低くて沸点も高く、精製したグリセロールによる凝固点降下作用も効果的である。
【００３０】
本発明の第１３の特徴構成の前記凍結防止剤を投入する排水トラップの破封防止方法は、前記排水トラップの封水部における封水維持下限値以上の液面になるように前記凍結防止剤を投入するところにある。
【００３１】
本発明の第１３の特徴構成によれば、本発明の凍結防止剤を、前記排水トラップの封水部における封水維持下限値以上の液面になるように投入することにより、長期間家を不在にしても、水の蒸発を抑えて封水の下限値以上の液面を維持し、下水側からの悪臭が室内に侵入するのを防止できる。
【００３２】
本発明の第１４の特徴構成は、前記凍結防止剤における気化成分が気化しても前記精製グリセロールが前記排水トラップの封水部における前記封水維持下限値以上残存する量を確保するように、前記凍結防止剤中の前記精製グリセロールの混合割合を設定して、前記排水トラップの封水部に前記凍結防止剤を投入するところにある。
【００３３】
本発明の第１４の特徴構成によれば、本発明の凍結防止剤を封水に投入した後、封水中の水などの気化成分が蒸発しても、精製グリセロールは封水部における封水維持下限値以上残存する量を確保されているために、下水側からの悪臭の室内側への侵入は防止でき、室内環境を良好に維持できる。
【００３４】
本発明の第１５の植物の凍結防止剤の特徴構成は、尿素と、界面活性剤と、精製グリセロールと、水又はアルカリ還元水とを有し、前記精製グリセロールは、エタノールと油脂と水と炭化物を有する廃グリセロールを蒸留精製したものである。
【００３５】
本発明の第１５の特徴構成によれば、尿素も精製グリセロールも水によく溶けて、夫々水の凝固点を下げ、しかもそれらの相乗効果により植物中の水分の凝固点を低下させることができる。しかも、精製グリセロールは廃グリセロールを蒸留精製したもので、一般的に特別産業廃棄物として処理に困っている廃グリセロールを安価に利用でき、廃棄物の削減及び有効利用に貢献できる。
その上、精製グリセロール中に有する油脂や炭化物を、界面活性剤により親水性を上げて表面張力を低下させ、そのために、植物に対する濡れ性を向上させて流出せずに滞在させやすくなり、凍結防止効果を持続させることができる。
【発明の効果】
【００３６】
本発明によれば、排水トラップへ投入した際に、封水の全体と簡単に混合する。さらに、蒸発しにくく、長期間にわたって封水作用を確実になす。特に、寒冷地に於ては、蒸気圧が十分に低下して、凍結することがなく、安全性も高い。また、セントラルヒーティング用の冷媒（水）として、蒸気圧が低下することによって凍結を防止できる。
【図面の簡単な説明】
【００３７】
【図１】本発明に係る蒸気圧低下剤の使用状態の簡略説明図である。
【図２】本発明に係る蒸気圧低下剤の使用状態の簡略説明図である。
【図３】水１００％の蒸発性の実験結果を示すグラフ図である。
【図４】本発明実施例（品）の蒸気圧低下剤５０ｃｃと水５０ｃｃとを混合したものの蒸発性の実験結果を示すグラフ図である。
【図５】本発明実施例（品）の蒸気圧低下剤３０ｃｃと水５０ｃｃとを混合したものの蒸発性の実験結果を示すグラフ図である。
【図６】本発明に係る蒸気圧低下剤の別の使用状態の簡略説明図である。
【図７】本発明実施例（品）の蒸気圧低下剤３０ｃｃと水１７０ｃｃとを混合したものの蒸発性の実験結果を示すグラフ図である。
【図８】本発明実施例（品）の蒸気圧低下剤３０ｃｃと水３２０ｃｃとを混合したものの蒸発性の実験結果を示すグラフ図である。
【図９】本発明実施例（品）の蒸気圧低下剤２５ｃｃと水７５ｃｃとを混合したものの凝固性の実験結果を示すグラフ図である。
【図１０】本発明実施例（品）の蒸気圧低下剤５０ｃｃと水５０ｃｃとを混合したものの凝固性の実験結果を示すグラフ図である。
【図１１】本発明に係る排水トラップの破封防止方法を説明する簡略説明図である。
【図１２】排水トラップに水を充満させた時の蒸発時間を示すグラフである。
【図１３】排水トラップに各種含水量の混合液を充満させた時の蒸発時間を示す変化グラフである。
【発明を実施するための形態】
【００３８】
図１と図２に於て、Ｓ字型の排水トラップＴを有する排水管２の上方開口部３から、本発明に係る水の蒸気圧低下剤５を投入すると、Ｓ字型排水トラップＴ内の封水Ｗと混合する。
図１に示すように、この排水トラップＴの開口側から投入すれば、自然に封水Ｗ全体と混合されて図２に示すように混合封水液１０となる。
本発明に係る水の蒸気圧低下剤５は、尿素と、界面活性剤と、精製グリセロールと、水又はアルカリ還元水と、を含み、具体的には、尿素を５〜２０重量％、界面活性剤を０．１〜５重量％、精製グリセロールを１０〜８０重量％、残りを主として水又はアルカリ還元水とした成分から成る。
【００３９】
精製グリセロールは、エタノールと油脂と炭化物を有する廃グリセロールを蒸留精製（生成）したものが望ましい。
廃グリセロールは、植物由来の食用廃油（ヨウ素価が１２０以上で沸点も高い。例えば、大豆油の場合は、ヨウ素価１２４〜１３９である）をエステル化してバイオディーゼルフューエル（略称：ＢＤＦ）を精製する際の副産物（黒色の不要物）であり、純粋なグリセリンの融点が１７．８℃であるのに比べ、−８℃〜−７℃と低く、凍結しにくいが、現在、特別産業廃棄物として処理に困っているものである。つまり、不要な廃棄物をその上記特性を生かして再利用（リサイクル）でき、廃棄物の削減、及び、有効利用に貢献できる。
【００４０】
そして、精製グリセロールを１０〜８０重量％とするが、好ましくは、５０〜７５重量％とする。下限値未満であると、（蒸気圧が十分低下せず）図２に示す混合封水液１０から水分の蒸発が速く、かつ、凍結しやすくなって、寒冷地での実用に耐えられなくなる。上限値を越せば、引火（燃焼）の危険性が生ずる。また、上限値を越すと粘度が大きくなってしまって、排水トラップＴの下部へ沈澱して溜まる場合もある。また、精製グリセロールによって、凝固点を低く、沸点を高くしている。
【００４１】
尿素は、弱い殺菌力があり、沸点１３５℃で、成分比５〜２０重量％とするが、好ましくは、１０〜１５重量％とする。下限値未満では、（蒸気圧が十分低下せず）混合封水液１０からの水分の蒸発が速く、かつ、凍結しやすくなり、寒冷地での実用に耐えられなくなる。上限値を越せば、精製グリセロールと尿素とが反応して凝固物が生ずる。つまり、廃グリセロールには油脂分が含まれており蒸留精製をしても完全除去が困難なため、精製グリセロールに含まれる微量の油脂分と尿素とが反応して凝固し、白濁色となる。
また、尿素及び精製グリセロールにより凝固点を低く（凍りにくく）でき、凍結防止剤としての効果を得ている。
【００４２】
界面活性剤は０．１〜５重量％とするが、好ましくは、０．１重量％以上５重量％未満であり、より好ましくは、２〜４重量％である。界面活性剤によって、表面張力を低下させている。（水に比べて）表面張力を低くさせることで、排水管内周壁に付着している汚れやゴミによる毛細管現象が発生しにくくなり、混合封水液１０の吸い上げが抑制され、蒸発量を抑制できる。数値範囲を越えると、蒸気圧低下剤５を投入する際に発泡して混合が不十分となる虞があり、下限値未満であると、毛細管現象を抑制する効果が得られにくい虞がある。
界面活性剤は、例えば、アルカリ性洗剤（「スマートウォッシュ」株式会社スマート製）とするのが好ましい。
【００４３】
また、水又はアルカリ還元水の割合（重量％）が大きくなると蒸気圧が上昇し、凝固点（氷点）も上昇する。本来、精製グリセロールの凝固点は約−１２０℃であるが、これに水又は電解アルカリイオン水が加わるため、凝固点が上昇することとなり、凝固点を、−４０℃〜−２５℃とする。好ましくは−４０℃〜−３５℃、より好ましくは−４０℃〜−３８℃とする。
【００４４】
また、残りを主として水（純水又は水道水）とした場合は、アルカリ還元水に比べて、製造や設備等のコストが低く、蒸気圧低下剤５を安価に製造できるといった利点がある。
アルカリ還元水とした場合は、水の場合に比べて、排水管２の劣化（酸化）を抑制できる。
なお、「残りを主として水（又はアルカリ還元水）とした」の「主」とは、精製グリセロールと、尿素と、界面活性剤と、を除いた残り液体を１００重量％とすると、その９５〜１００重量％が、水（又はアルカリ還元水）であることを意味する。例えば、上記残りの液体が、全て水（又はアルカリ還元水）の場合や、水（又はアルカリ還元水）以外に色素、香料、除菌剤等が夫々０．１〜５重量％含まれている場合、を意味する。
なお、アルカリ還元水は、電解アルカリイオン水や電解アルカリ還元水とも呼ばれるものである。
【００４５】
また、水又はアルカリ還元水を２０％〜８０％有する必要があり、これは、図１１〜図１３に示すように、２０重量％未満では、蒸気圧低下剤の粘度が高くなり封水への投入が困難になり、８０重量％より多くなると尿素と精製グリセロールの割合が少なくなって蒸気圧低下効果が低下する。なお、図１２，１３において、横軸は日を、縦軸は混合液の容量（ｃｃ）を示す。
つまり、図１１に示すＳ型排水トラップＴの封水部において、オーバーフロー水位Ｈまで水が充満（８０ｃｃ）している時に、約１１日で蒸発してしまう（図１２）のに対し、図１３に示すグラフによると、封水を水９０％の本剤と入れ替えて混合封水液１０とした場合の曲線Ａは、蒸発成分の減量により約３６０日以上で１６ｃｃ以下になり、封水維持下限値の水量１７ｃｃの下限水位Ｌ以下になり、水封が破られ下水側からの悪臭が室内に放出される。
これに対し、混合封水液１０が水８０％の本剤と入れ替えた場合の曲線Ｂは、約３６０日以上で蒸発成分の減量により１７ｃｃを超えて一定となり、封水は維持され、水７５％の本剤と入れ替えた場合の曲線Ｃは、約３６０日以上で蒸発成分の減量により４０ｃｃになり一定となる。
従って、本剤中の水の割合は８０％が最大である。
【００４６】
また、蒸気圧低下剤５のｐＨ値を９.０〜１０.０としている。より好ましくは９.５〜１０.０とする。アルカリ性とすることで、雑菌の繁殖を抑える効果が発揮される。なお、浄化槽の微生物への環境を考慮し、ｐＨ値をｐＨ調整剤等で調整するも良い。
また、比重は１．００〜１．１０としている、好ましくは、１．０１〜１．０９であり、より好ましくは、１．０７〜１．０９としている。つまり、水に比べて、比重を僅かに重く（大きく）することで、封水Ｗの上部に上澄み液のように大きく偏るのを防止し、下水側寄りの封水Ｗともよく混ざるようにしている。
また、大気圧での沸点を１２０℃〜１３０℃とする。より好ましくは、１２５℃〜１３０℃とする。また、引火点及び発火点は無く安全性が高い。
【実施例】
【００４７】
次の表１の蒸気圧低下剤を作成した。
【００４８】
【表１】
2014062395.tif 000003
【００４９】
上記表１の実施例（実施品）のもの（以下、本剤と呼ぶ場合もある）を５０ｃｃと（予め排水トラップＴにある封水Ｗの代わりとして）水５０ｃｃとを混合して１００ｃｃの混合封水液１０（本剤の濃度を５０％とした混合封水液１０の場合）について実験した結果を図４のグラフ図に示す。横軸は日を、縦軸は容量（ｃｃ）を示す。図３はこれと比較のために、水１００％のものを１００ｃｃの封水Ｗとした場合（本剤の濃度を０％とした場合）を示す。いずれも室温２７℃である。
図３に示すように、単なる水のみでは、１２.５〜１３日で蒸発して無くなる。これに対し、図４に示した実施例（実験例）では、５４０日掛っても５８ｃｃが残り、１０ヶ月に１度、約４０〜５０ｃｃ程度の水を補充すれば良いことが分かる。
【００５０】
また、図５は、図１及び図２に示したようなＳ字型排水トラップＴに、本剤３０ｃｃと水５０ｃｃとを混合して８０ｃｃの混合封水液１０とした場合（本剤の濃度を３８％とした場合）のものを充填した実験結果である。横軸は日を、縦軸は容量（ｃｃ）を示す。図５に示したように、５４０日掛かっても４０ｃｃが残り、排水トラップＴに、１０ヶ月に１度、約４０〜５０ｃｃ程度の水を補充すれば良いことが分かる。
【００５１】
また、図６に示すように、流し台や排水口に設けられる釣鐘型の排水トラップＴ’に、使用した実験結果を、図７と図８に示す。
図７は、最大充填量が２００ｃｃの釣鐘型排水トラップＴ’に対して、本剤３０ｃｃと水１７０ｃｃとを混合して２００ｃｃの混合封水液１０とし（本剤の濃度を１５％とし）、それを充填した実験結果である。
図８は、最大充填量が３５０ｃｃの釣鐘型排水トラップＴ’に対して、本剤３０ｃｃと水３２０ｃｃとを混合して３５０ｃｃの混合封水液１０とし（本剤の濃度を８．５％とし）、それを充填した実験結果である。なお、図７，８において、横軸は日を、縦軸は混合封水液の容量（ｃｃ）を示す。
【００５２】
図７で明らかなように、３００日〜３３０日（約１０ヶ月）で約７５ｃｃが残り、１０ヶ月に１度、約１２５ｃｃ程度の水を補充すれば良いことが分かる。
また、図８で明らかなように、３００日〜３３０日（約１０ヶ月）で約１５０ｃｃが残り、１０ヶ月に１度、約２００ｃｃ程度の水を補充すれば良いことが分かる。
【００５３】
このように、蒸発を抑制する作用についても、本発明が優れた作用効果を示す。なお、季節や排水トラップＴ，Ｔ’の形状や大きさによって、多少、蒸発性に差を生ずる。
また、実際に使用する際（蒸気圧低下方法）としては、排水トラップＴ，Ｔ’の（封水）最大充填量の混合封水液１０を１００％とすると、蒸気圧低下剤５の濃度が５〜９０％になるように、好ましくは８％〜７０％となるように、図１に示すように（予め溜まっている）封水Ｗに投入するのが望ましい。下限値未満であると、蒸発する量が多く、投入後１０ヶ月になる前に、排水トラップＴ，Ｔ’が防臭や防虫効果を発揮する（封水）最小充填量未満となる虞がある。また、上限値を越えると、蒸発低下効果は十分に得られるが、濃度を上記数値範囲内の最大値とした場合と大きな差が得られないため、蒸気圧低下剤５が無駄になってしまうからである。
【００５４】
次に、本剤の凍結性（凍りやすさ）について実験した結果を図９及び図１０に示す。
図９は、本剤２５ｃｃと水７５ｃｃを混合した（４倍希釈、濃度２５％、液温２５℃）の混合封水液１０を、−２２℃の室内（冷凍室）に放置した場合について実験した結果である。
図１０は、本剤５０ｃｃと水５０ｃｃを混合した（２倍希釈、濃度５０％、液温２５℃）の混合封水液１０を、−２２℃の室内に放置した場合について実験した結果である。なお、図９，１０の横軸は時間（分）を、縦軸は温度（℃）を示す。
【００５５】
図９及び図１０から明らかなように、開始５０分を越えたあたりから、温度の低下が緩やかになっていることがわかる。その後、図９の実施例（実験例）では、凝固する（−１１．２℃）まで、１６０分かかった。図１０の実施例（実験例）では、凝固する（−１８．３℃）まで、２６０分かかった。
このように、本剤の濃度が濃い方が、凝固点が低く、また、凝固するまでの時間を長くするような（凍結までの時間を遅らせるような）凍結抑制作用が得られることから、本発明が優れた凍結抑制作用効果を有することは明らかである。
なお、季節や排水トラップＴ，Ｔ’の形状や大きさによって、多少、凍結性に差を生ずる。
【００５６】
なお、本発明の蒸気圧低下剤５をトイレの便器内に投入使用しても良い。また、成分として、除菌剤を僅かに含有させておくも自由である。また、セントラルヒーティング用の冷媒（水）に使用するも良い。
【００５７】
以上述べたように、本発明の水の蒸気圧低下剤は、尿素と、界面活性剤と、精製グリセロールと、水又はアルカリ還元水と、を有するので、自然界へ与える影響も少なく安全で、寒冷地に於て、凍結せず、安心して使用できる。さらに、蒸発しにくく長期間にわたって渇水せず、例えば、１０ヶ月に１度の補給で十分である。さらに、トラップ等に投入すると、簡単かつ自然に、封水Ｗと混合する。また、セントラルヒーティングの冷媒（水）やその他の凍結防止用に本発明を広く利用でき、寒冷地での広い用途に適用できる。
【００５８】
また、尿素を５〜２０重量％、界面活性剤を０.１〜５重量％、精製グリセロールを１０〜８０重量％、残りを主として水又はアルカリ還元水としたので、自然界へ与える影響も少なく、十分に蒸気圧が低下し、寒冷地に於て、凍結せず、安心して使用できる。
さらに、蒸発しにくく長期間にわたって渇水せず、例えば、１０ヶ月に１度の補給で十分である。さらに、排水トラップＴ，Ｔ’等に投入すると、簡単かつ自然に、封水Ｗと混合する。しかも、引火の危険性もなく、排水トラップＴ，Ｔ’の下部へ沈澱することもなく、凝固物も生じにくい。特に、−３５℃程度にもなる寒冷地にも適用可能となる。
【００５９】
また、精製グリセロールは、エタノールと油脂と水と炭化物を有する廃グリセロールを蒸留精製したものであるので、現在、多量の処理に困っている廃グリセロールを有効に再利用できる利点がある。
【００６０】
ここで、排水トラップの破封防止方法について、蒸気圧低下剤５を例に説明する。
図１１に示すように、Ｓ字型排水トラップＴの封水部Ｔｓにおいて封水維持下限値以上の液面Ｗｓになるように蒸気圧低下剤５を投入する。封水液１０の液面Ｗｓが封水維持下限値未満であると、封水液１０の液面Ｗｓ’（同図中の一点鎖線）が封水部Ｔｓにおける湾曲部Ｔｃの上部Ｔｕより下方に位置することとなり、この上部Ｔｕと液面Ｗｓ’との間に隙間Ｇが生じるため、封水機能が発揮されない。
【００６１】
そのため、蒸気圧低下剤５を投入する際に、予め、蒸気圧低下剤５中の精製グリセロールが排水トラップＴの封水部Ｔｓにおける封水維持下限値以上残存する量を確保するように、蒸気圧低下剤５中の精製グリセロールの混合割合を設定するとよい。これにより、排水トラップＴの封水部Ｔｓに投入された蒸気圧低下剤５中の水等の気化成分が気化しても、少なくとも精製グリセロールが封水維持下限値以上残存する（液面Ｗｓが封水部Ｔｓにおける湾曲部Ｔｃの上部Ｔｕを下回らない）ので、下水側からの悪臭の室内側への侵入を防止でき、室内環境を良好に維持できる。なお、蒸気圧低下剤５を用いた排水トラップの破封防止方法として説明したが、凍結防止剤を用いた場合も同様である。また、封水維持下限値は、排水トラップの形状や大きさ（体積）によって変動するので、これらに応じて投入量及び／又は蒸気圧低下剤５中の精製グリセロールの混合割合を適宜調整するとよい。
【００６２】
[別実施形態]
１．本発明は、植物の凍結防止剤としても利用でき、この場合に、尿素と、界面活性剤と、精製グリセロールと、水又はアルカリ還元水とを有することにより、尿素も精製グリセロールも水によく溶けて、夫々水の凝固点を下げ、しかもそれらの相乗効果により植物中の水分の凝固点を低下させることができると共に、精製グリセロール中に有する油脂や炭化物を、界面活性剤により親水性を上げて表面張力を低下させ、そのために、植物に対する濡れ性を向上させて流出せずに滞在させやすくなり、凍結防止効果を持続させることができる。
【００６３】
２．本発明は、植物の枯渇防止剤としても利用でき、この場合に、尿素と、界面活性剤と、精製グリセロールと、水又はアルカリ還元水とを有することにより、蒸気圧低下剤としての特性を生かして、給水した水の蒸発を抑え、界面活性剤と精製グリセロールとの組み合わせにより、水との濡れ性を上げて保水効果も発揮できる。従って、植物が水不足になって枯れるのを防止できる。
【００６４】
３．本発明は、道路等の凍結防止剤（不凍液）としても利用でき、この場合に、尿素と、界面活性剤と、精製グリセロールと、水又はアルカリ還元水とを有することにより、尿素も精製グリセロールも水によく溶けて、夫々水の凝固点を下げ、しかもそれらの相乗効果により道路面の水分の凝固点を低下させることができる。また、塩化物を含有していないので、金属材料を腐食する原因となることもない。この凍結防止剤（不凍液）は、舗装された又は未舗装の道路面の他、駐車場、飛行場の滑走路や駐機場等の路面に散布し、これらの路面の凍結を防止する。また、舗装された又は未舗装の道路面等の他、さらに、運動場、農場等の土壌の凍結防止剤としても利用することができ、ゴルフ場や公園等の芝生の凍結防止剤としても利用可能である。さらに、路面や土壌等に対する氷や雪の着氷防止（防氷、除氷）剤として利用することも可能である。
【００６５】
４．本発明は、物品の凍結防止剤としても利用でき、この場合に、尿素と、界面活性剤と、精製グリセロールと、水又はアルカリ還元水とを有することにより、尿素も精製グリセロールも水によく溶けて、夫々水の凝固点を下げ、しかもそれらの相乗効果により物品表面の水分の凝固点を低下させることができる。物品の凍結防止剤は、例えば、家屋やビル等の窓ガラス、壁面や屋根、道路標識、看板等に散布し、これら物品の表面の凍結を防止する。また、建物のドア、窓等の開閉（可動）部分やレール等の被可動部分等に散布しておき、これら可動部材の凍結による不動を防止する。また、自動車、バイク等のガラス、ミラー等にも適用可能である。さらに、自動車や飛行機等の上記各種物品に対する氷や雪の着氷防止（防氷、除氷、除雪）剤として利用することも可能である。なお、この物品の凍結防止剤を塗料に含有させて、凍結防止塗料とすることも可能である。
【００６６】
５．本発明は、床暖房や氷蓄熱器等の熱媒体液（蓄熱剤）としても利用できる。例えば、床暖房に利用する場合、加熱槽内に溜めてある熱媒体液をヒータ等により加熱し、加熱した熱媒体液を床下に循環させながら放熱させる。尿素と、界面活性剤と、精製グリセロールと、水又はアルカリ還元水とを有することにより、比較的比熱がよく、流動性も高い。
【符号の説明】
【００６７】
２  排水管
５  蒸気圧低下剤
１０  混合封水液
Ｗ  封水
Ｔ  Ｕ字型の排水トラップ
Ｔ’  釣鐘型の排水トラップ
【図１】
2014062395.tif 000004
【図２】
2014062395.tif 000005
【図３】
2014062395.tif 000006
【図４】
2014062395.tif 000007
【図５】
2014062395.tif 000008
【図６】
2014062395.tif 000009
【図７】
2014062395.tif 000010
【図８】
2014062395.tif 000011
【図９】
2014062395.tif 000012
【図１０】
2014062395.tif 000013
【図１１】
2014062395.tif 000014
【図１２】
2014062395.tif 000015
【図１３】
2014062395.tif 000016